(57)【要約】      （修正有）【課題】フォールバックトレーニングのための滑りカーペットアセンブリを提供する。【解決手段】滑りカーペットアセンブリは、複数のロールシャフトユニットを備える。各ロールシャフトユニットは、ロールシャフト３１０と、ロールシャフト３１０の片側に接触して連結された固定具２１０とを備える。固定具２１０は、支持体を備える。支持体には、第１の貫通孔２１３と第２の貫通孔２１４とが設けられている。第１の貫通孔２１３の軸と第２の貫通孔２１４の軸は互いに垂直であり、互いに交差しない。さらに、滑りカーペットアセンブリは、複数の連結ロープ１００をさらに備える。連結ロープ１００は、第１の方向において第１の貫通孔２１３を通過して、連続して配置された複数のロールシャフトユニットを直列に接続する。連結ロープ１００は、第１の方向に垂直な第２の方向では、第２の貫通孔２１４を通過して、複数配置された固定具２１０を順次連結する。【選択図】図１
0003230240.tif 000002
【実用新案登録請求の範囲】
【請求項１】
複数のロールシャフトユニットを備え、
前記ロールシャフトユニットは、ロールシャフトと、当該ロールシャフトの一端に接触して連結される固定具と、を備え、
前記固定具は、支持体を備えており、前記支持体には、第１の貫通孔と第２の貫通孔とが設けられ、前記第１の貫通孔の軸と前記第２の貫通孔の軸とは互いに垂直であり、互いに交差せずに位置し、
さらに、複数の連結ロープを備え、
前記連結ロープは、第１の方向に沿って前記第１の貫通孔を通過して、連続に配置された複数の前記ロールシャフトユニットを直列に連結し、前記第１の方向に垂直な第２の方向に沿って前記第２の貫通孔を通過して、連続して配置された複数の前記固定具を連結する、
滑りカーペットアセンブリ。
【請求項２】
請求項１に記載の滑りカーペットアセンブリであって、
前記ロールシャフト内に嵌め込まれたセンターシャフトを備えた、
滑りカーペットアセンブリ。
【請求項３】
請求項２に記載の滑りカーペットアセンブリであって、
前記第１の貫通孔は、当該第１の貫通孔の軸方向に沿って外側に延びる第１の連結部と第２の連結部とをさらに備え、
前記ロールシャフトの第１の端部には、前記第２の連結部が嵌め込まれて連結され、
前記ロールシャフトの第２の端部には、次に隣接する前記固定具の前記第１の連結部が嵌め込まれて連結されている、
滑りカーペットアセンブリ。
【請求項４】
請求項３に記載の滑りカーペットアセンブリであって、
前記ロールシャフトの中央部分は、一定の直径の円筒孔に形成されており、当該一定の直径の円筒孔の両端は、それぞれ徐々に内径が大きくなるテーパー穴と連通している、
滑りカーペットアセンブリ。
【請求項５】
請求項１乃至４のいずれかに記載の滑りカーペットアセンブリであって、
前記固定具はブロックの形状であり、当該固定具の上面はアーチ形状である、
滑りカーペットアセンブリ。
【請求項６】
請求項１に記載の滑りカーペットアセンブリであって、
前記ロールシャフトの外表面には、２つの環状溝が設けられている、
滑りカーペットアセンブリ。
【請求項７】
請求項３に記載の滑りカーペットアセンブリを備えた滑りカーペットであって、
さらに、弾性サスペンションアセンブリを備え、
前記弾性サスペンションアセンブリは、前記滑りカーペットアセンブリの周囲に連結されている、
滑りカーペット。
【請求項８】
請求項７に記載の滑りカーペットであって、
前記弾性サスペンションアセンブリは、第１のサスペンションアセンブリと第２のサスペンションアセンブリとを備え、
前記第１のサスペンションアセンブリは、前記第２のサスペンションアセンブリに対して垂直に配置され、
前記第１のサスペンションアセンブリは、引張バネと、第１の連結プレートと、第１のクランプスリーブと、押しバネと、を備えており、
前記引張バネは、当該引張バネの両端に配置された第１の引張りフックと第２の引張りフックとを備え、
前記第１の連結プレートには、第１の穴と第２の穴とが形成されており、前記第１の引張りフックは前記第１の穴に引っ掛けられ、前記連結ロープは前記第２の穴を通過し、
前記第１のクランプスリーブは、前記第１の連結プレートと前記押しバネとの間に配置され、
前記第２のサスペンションアセンブリは、第２の連結プレートと第２のクランプスリーブと、を備えており、
前記第２のクランプスリーブの一端は、前記第２の連結プレートに接触して連結され、前記第２のクランプスリーブの他端は、前記固定具の前記第２の貫通孔の外側に接触して連結される、
滑りカーペット。
【請求項９】
請求項１乃至６のいずれかに記載の滑りカーペットアセンブリを備えた滑りカーペットであって、
さらに、滑り体を備え、
前記滑り体の上面は、平面又は曲面であり、
前記滑りカーペットアセンブリを前記滑り体上に配置することで、一方向の滑り面が形成されている、
滑りカーペット。
【請求項１０】
請求項９に記載の滑りカーペットであって、
前記滑り体の上面はＵ字形状である、
滑りカーペット。
【考案の詳細な説明】
【技術分野】
【０００１】
本考案は、滑りカーペットアセンブリ及び滑りカーペットに関する。
【背景技術】
【０００２】
人々の生活水準の向上に伴い、アプローチと滑走→ジャンプと飛行→ウィングオーバー→滑走面への正確なフォールバック→滑走の継続を含むバッグフライングトレーニングのようなエクストリームスポーツが、ますます多くの人々に注目され好まれている。特に、スケートボード、マウンテンバイク、スキー、オフロードバイクレースなどのスポーツでは、バッグフライングが最も一般的である。この高難易度の動きは、飛ぶことに対する人々の内面にある欲求を喚起するため、多くの人が挑戦することに魅力を感じている。しかしながら、この行為は非常に危険であり、特に、滑走面に的確にフォールバックする行為は非常に難しく、怪我をすることも頻繁にある。
【０００３】
安全のために、人々は、安全に着陸するという問題を解決するために、マット、プール、スポンジプール、または水平エアバッグなどの「フォールバック」トレーニングを実行するためのいくつかの種類の機器を試しているが、「滑走面への正確なフォールバック」と「滑走の継続」という目的を達成できない。スロープエアバッグの登場で、「滑走面への正確なフォールバック」を達成できるが、滑走の継続の目的を達成することができない。また、スロープエアバッグ上のドライエアバッグの表面と、人体、衣服、装備品との摩擦があまりにも大きく、スポーツ選手がスロープエアバッグに落下すると、大きな摩擦のため滑りを継続できず、慣性により転倒してけがの原因となることがある。
加えて、重い物を動かすような一方向の滑斜面や、子供の滑り、スキー谷では、滑斜面の表面と重い物や人体との滑り摩擦があまりにも大きいため、けがをするという問題もある。
【考案の概要】
【考案が解決しようとする課題】
【０００４】
本願の目的は、大きな滑り摩擦によって引き起こされる損傷の問題を解決することである。
【課題を解決するための手段】
【０００５】
本願の一態様では、滑りカーペットアセンブリを提供する。滑りカーペットアセンブリは、複数のロールシャフトユニットを備える。各ロールシャフトユニットは、ロールシャフトと、当該ロールシャフトの一端に接触して連結される固定具と、を備える。固定具は、支持体を備えており、支持体には、第１の貫通孔と第２の貫通孔とが設けられ、第１の貫通孔の軸と第２の貫通孔の軸とは互いに垂直であり、互いに交差せずに位置する。さらに、滑りカーペットアセンブリは、複数の連結ロープを備える。連結ロープは、第１の方向に沿って第１の貫通孔を通過して、連続に配置された複数のロールシャフトユニットを直列に連結する。また、連結ロープは、第１の方向に垂直な第２の方向に沿って第２の貫通孔を通過して、連続して配置された複数の固定具を連結する。
【０００６】
本願では、複数のロールシャフトユニットが直列に接続され、さらに直列に接続されたロールシャフトユニットが面を形成するよう再連結されて、滑りカーペットアセンブリを構成する。人物や物体が滑りカーペットアセンブリの上を滑ると、滑り摩擦の代わりに転がり摩擦が発生し、摩擦は非常に小さくなる。エクササイズ中に人物が滑りカーペットアセンブリ上に滑るとき、動けなくなる衝撃が生じることはないが、人物は減速して滑り続け、その後も減速して停止する。これにより、過度の抵抗による急激な減速による慣性による転倒や、過度の摩擦による人物やその他の物体の損傷を回避できる。同時に、ロールシャフトは一定の方向にしか回転できず、移動方向を制限し、左右の揺れを防止できる。スポーツ選手は、滑りカーペットの表面を滑り続けるか、または滑りカーペットアセンブリを介して物体を運ぶことができ、安全性が向上する。
【０００７】
上記滑りカーペットアセンブリでは、必要に応じて、ロールシャフト内に嵌め込まれたセンターシャフトを備えてもよい。センターシャフトは、ロールシャフト内に嵌め込まれた円管部材である。ロールシャフトが回転するときには、センターシャフトにて連結ロープを保護することができる。一方、ロールシャフトとセンターシャフトとは、滑りカーペットアセンブリの滑り特性をさらに向上させ、異物の侵入を防ぐために、互いに嵌め込まれている。また、センターシャフトは、ロールシャフトを支持する機能を有しており、ロールシャフトの軸圧を抑制し、ロールシャフトが押し潰されて回転を停止することを防止し、ロールシャフトが自由に回転することを実現している。
【０００８】
上記滑りカーペットアセンブリでは、必要に応じて、第１の貫通孔は、当該第１の貫通孔の軸方向に沿って外側に延びる第１の連結部と第２の連結部とをさらに備えてもよい。そして、ロールシャフトの第１の端部には、第２の連結部が嵌め込まれて連結され、ロールシャフトの第２の端部には、次に隣接する固定具の第１の連結部が嵌め込まれて連結されてもよい。連結箇所は、ロールシャフトにセンターシャフトと固定具が嵌め込まれるよう設計されている。滑りカーペットアセンブリが外力により変形したときに、第１の連結部、センターシャフトおよび第２の連結部は同軸上に位置して、ロールシャフトの回転を支持するため、ロールシャフトは圧迫されず、通常の回転が可能である。さらに、そのような嵌め込まれた連結はよりきつくなり、異物が滑りカーペットアセンブリの隙間に入り込むのを防ぎ、その結果、滑りはよりスムーズになる。
【０００９】
上記滑りカーペットアセンブリでは、必要に応じて、ロールシャフトの中央部分は、一定の直径の円筒孔に形成されていてもよい。そして、一定の直径の円筒孔の両端は、それぞれ徐々に内径が大きくなるテーパー穴と連通していてもよい。第１の貫通孔の第１の連結部は、ロールシャフトの一端のテーパー付きの穴に嵌め込まれている。滑りカーペットが外力により変形して部分的に潰れても、テーパー穴はロールシャフトが確実に回転できるように設計されている。
【００１０】
上記滑りカーペットアセンブリでは、必要に応じて、固定具はブロックの形状であり、当該固定具の上面はアーチ形状であってもよい。また、固定具は、くさび形ブロックや正方形ブロックであってもよい。滑りカーペットアセンブリは、適用プロセス中に大きな圧力がかかり、ブロック形状は、支持面との接触面を増加させ、圧力を減少させ、支持機能を発揮し、安定性を有し、圧力支持力の増加、荷重支持力の増加、そして、物体の運搬を提供できる。固定具の上面の円弧形状は、面の接触面積を小さくするためのものである。接触面積を小さくすることで、表面の摩擦が小さく、滑り摩擦が小さくなり、滑りがスムーズになる。
【００１１】
上記滑りカーペットアセンブリでは、必要に応じて、連結ロープは金属材料である。好ましくは、スチールケーブルが連結ロープとして使用される。より好ましくは、連結ロープは、良好な可撓性、高強度などの利点を有するマルチストランドスチールケーブル構造であり、３０４＃ステンレススチール材料のスチールケーブルであってもよい。ロールシャフトとセンターシャフトの材質は、ポリオキシメチレンプラスチックである。ポリオキシメチレンプラスチックは、耐腐食性、耐水性、高い機械的強度、強く自己潤滑の利点があり、ロールシャフトの耐用年数を延ばす。
【００１２】
上記スライディングカーペットアセンブリでは、必要に応じて、ロールシャフトの外表面に、２つの環状溝を設けてもよい。２つの環状溝は、ロールシャフトの外表面を３つの領域に分割する。環状溝は、第１の方向の摩擦力を増大させ、滑り方向として第２の方向を規定する。これにより、人体または物体は、第１の方向に垂直な方向である第２の方向に滑ることとなる。
【００１３】
上記滑りカーペットアセンブリでは、必要に応じて、第１の方向における連結ロープの両端は、押しバネと連結される。滑りカーペットアセンブリに圧力がかかると変形し、押しバネが外力により伸び縮みして弾性緩衝機能が働き、ロールシャフトがきつく圧迫される。
【００１４】
本願の別の態様によれば、本考案はまた、上記いずれかの滑りカーペットアセンブリを備えた滑りカーペットを提供してもよく、さらに、滑りカーペットは、滑りカーペットアセンブリの周囲に弾性サスペンションアセンブリが連結されていてもよい。弾性サスペンションアセンブリは、滑りカーペットアセンブリを囲むように取り付けられ、滑りカーペットを形成する。滑りカーペットは、固定フレーム上に吊るすことができ、滑りカーペットのサスペンション領域は、滑りカーペットの変形領域を確保するために維持され、それにより安全性を確保する。例えば、滑りカーペットは、鉄骨フレームに吊り下げられ、特定の環境に合わせて滑りカーペットのサイズを選択でき、配置位置を自由に決めることができ、使い勝手がよい。滑りカーペットは吊り下げ状態であり、カーペットの表面の下部には、滑りカーペットに飛び込んだ人物や物体の緩衝および衝撃吸収に十分な領域がある。
【００１５】
上記滑りカーペットでは、必要に応じて、弾性サスペンションアセンブリは、第１のサスペンションアセンブリと第２のサスペンションアセンブリとを備えてもよい。第１のサスペンションアセンブリは、第２のサスペンションアセンブリに対して垂直に配置されてもよい。第１のサスペンションアセンブリは、引張バネと、第１の連結プレートと、第１のクランプスリーブと、押しバネと、を備えてもよい。引張バネは、当該引張バネの両端に配置された第１の引張りフックと第２の引張りフックとを備えてもよい。第１の連結プレートには、第１の穴と第２の穴とが形成されており、第１の引張りフックは第１の穴に引っ掛けられ、連結ロープは第２の穴を通過してもよい。第１のクランプスリーブは、第１の連結プレートと押しバネとの間に配置されてもよい。第２のサスペンションアセンブリは、第２の連結プレートと第２のクランプスリーブと、を備えてもよい。第２のクランプスリーブの一端は、第２の連結プレートに接触して連結され、第２のクランプスリーブの他端は、固定具の第２の貫通孔の外側に接触して連結されてもよい。第２のクランプスリーブは、第１の方向に垂直な連結ロープの一端にスリーブ連結されてもよい。滑りカーペットに圧力がかかると、変形が生じ、押しバネが外力により伸び縮みして緩衝機能として働き、ロールシャフトがきつく締められる。このような引張ばねの連結によって、滑りカーペット全体の設置と分解が容易になり、しっかりと固定された連結状態となり、安全性が高まる。
【００１６】
本願の別の態様によると、本考案はまた、上記いずれかの滑りカーペットアセンブリを含む滑りカーペットを提供できる。さらに滑りカーペットは、滑り体を備えてもよく、滑り体の上面は、平面又は曲面であってもよい。そして、滑りカーペットアセンブリを滑り体上に配置することで、一方向の滑り面が形成されうる。実際の利用時には、上記滑りカーペットは、滑り面の表面に直接置かれ、滑りカーペットは滑り面の表面に密着する。滑りカーペットの形状は、滑り面の形状にもよるが、トレーニンググラウンド、アミューズメントパークの滑り面、物体搬送などに利用することができる。滑りカーペットは、設置が簡単で、再利用可能、電気や水を消費せず、省エネと環境保護を実現できる。
【００１７】
上記滑りカーペットでは、必要に応じて、滑り体の上面はＵ字型であってもよい。Ｕ字型の滑り面は、スキー、スケートボードなどの一般的な滑り面である。本願の滑りカーペットは、Ｕ字形の滑り面の上面に置かれる。人物がＵ字型の滑り面の下部からＵ字型の滑り面の上部に滑るときに、滑りカーペットの表面に転がり摩擦が生じる。すると、摩擦は減少し、滑りやすくなる。滑りカーペットの滑り方向が均一で、滑り面からのずれがなく、全体の動作がスムーズで安全である。
【００１８】
本出願の上記および他の目的、利点、および特徴は、図面を参照して本出願の実施形態についての以下の詳細な説明により、いわゆる当業者に明らかになりうる。
【図面の簡単な説明】
【００１９】
本考案の具体的な実施形態を、図面を参照して限定的にではなく例示的に以下に説明する。図面において、同一の参照符号は同一又は類似の構成要素や部分を示す。当業者であれば、図面における各部分は必ずしも縮尺通りに描かれていないことは理解されうる。
【図１】本願の実施形態における滑りカーペットアセンブリの構成を示す概略図である。
【図２】本願の実施形態における滑りカーペットアセンブリに含まれる図１に示す固定具の構成を示す三次元概略図である。
【図３】本願の実施形態における滑りカーペットアセンブリに含まれる図２に示す固定具の側面図である。
【図４】本願の実施形態における滑りカーペットアセンブリに含まれる固定具の側面図である。
【図５】本願の実施形態における滑りカーペットアセンブリに含まれる図２に示す固定具の上面図である。
【図６】本願の実施形態における滑りカーペットアセンブリに含まれる図２に示す固定具の正面図である。
【図７】本願の実施形態における滑りカーペットアセンブリに含まれるロールシャフトの断面図である。
【図８】本願の実施形態における滑りカーペットアセンブリに含まれる図７に示すロールシャフトの構成を示す三次元概略図である。
【図９】本願の実施形態における滑りカーペットアセンブリに含まれるセンターシャフトの断面図である。
【図１０】本願の実施形態における滑りカーペットアセンブリに含まれる図９に示すセンターシャフトの構成を示す三次元概略図である。
【図１１】本願の実施形態における滑りカーペットの構成を示す概略図である。
【図１２】本願の実施形態における図１１に示す滑りカーペットの側面図である。
【考案を実施するための形態】
【００２０】
図１は、本考案の実施形態における滑りカーペットの概略を示す構成図である。本考案の滑りカーペットは、複数のロールシャフトユニットを含む。各ロールシャフトユニットは、ロールシャフト３１０と、ロールシャフト３１０の一端に接触して連結される固定具２１０と、を含む。
【００２１】
固定具２１０は、支持体を含む。支持体には、第１の貫通孔２１３および第２の貫通孔２１４が設けられている。第１の貫通孔２１３と第２の貫通孔２１４の軸は、互いに直交し、互いに交差しない。
【００２２】
さらに、滑りカーペットアセンブリは、複数の連結ロープ１００をさらに含む。連結ロープ１００は、第１の方向に沿って第１の貫通孔２１３を通過し、連続して配置された複数のロールシャフトユニットを直列に連結する。また、連結ロープは、第１の方向に垂直な第２の方向に沿って、第２の貫通孔２１４を通過して、連続して配置された複数の固定具２１０を連結する。このように、複数のロールシャフトユニットが直列に連結され、さらに、直列に連結されたロールシャフトユニットが面を形成するようさらに連結されて、滑りカーペットアセンブリが構成される。
【００２３】
人物または重い物体が滑りカーペットアセンブリを通過すると、滑り摩擦の代わりに転がり摩擦が発生する。人物は、通過後もその上を滑り続けることができる。これにより、慣性による転倒、過度の抵抗による衝撃損傷、または、過度の摩擦による人体や他の物体の損傷を回避できる。同時に、ロールシャフト３１０は特定の方向にしか滑ることができず、移動方向が制限され、左右の動きを回避できる。人物は、滑りカーペットの表面を滑り続け、速度を落として停止することができ、過度の摩擦によって突然動きが止められることはない。または、移動する物体が滑りカーペットアセンブリを通過するときには、物体の移動方向が制限され、安全性が向上する。
【００２４】
センターシャフト４１０は、ロールシャフト３１０内に嵌め込まれて連結される。センターシャフト４１０は、ロールシャフト３１０内に嵌め込まれた円管部材である。センターシャフト４１０の具体的な構成を、図９の断面図と、図１０の立体図に示す。ロールシャフト３１０が回転するときには、センターシャフト４１０が連結ロープ１００を保護することができる。一方、ロールシャフト３１０とセンターシャフト４１０とは、滑りカーペットアセンブリの滑り特性をさらに向上させ、異物の侵入を防ぐために、互いに嵌め込まれている。また、センターシャフト４１０は、ロールシャフト３１０を支持する機能を有しており、ロールシャフト３１０が押し潰されて回転を停止することを防止し、ロールシャフト３１０が自由に回転することを実現している。
【００２５】
図２は、本願における固定具２１０の三次元図である。上述した滑りカーペットアセンブリにおいて、第１の貫通孔２１３には、第１の貫通孔の軸方向に沿って外側に延びる第１の連結部２１１および第２の連結部２１２がさらに設けられる。図７および図８に示されるようなロールシャフト３１０の第１の端部３２１には、第２の連結部２１２が内部に嵌め込まれて連結される。図７および図８に示されるようなロールシャフト３１０の第２の端部３２２には、次の隣接する固定具２１０の第１の連結部２１１が内部に嵌め込まれて連結される。連結箇所は、ロールシャフト３１０本体に固定具２１０が嵌め込まれるよう設計される。滑りカーペットアセンブリが外力により変形したときに、第１の連結部２１１、センターシャフト４１０および第２の連結部２１２は同一直線上に位置して、ロールシャフト３１０の回転を支持し、ロールシャフト３１０は押しつぶされず、通常の回転が可能である。さらに、そのような嵌め込まれた連結はきつく、異物が滑りカーペットアセンブリの隙間に入り込むのを防ぎ、滑りカーペットアセンブリを保護するため、滑りはよりスムーズになる。
【００２６】
図３は、図２に示す固定具の側面図である。この図に示すように、固定具２１０は、ブロック構造であり、上面がアーチ形状である。あるいは、固定具２１０は、図４に示すように、上部の幅が広く、下部の幅が狭く形成されており、角度Ｂが３°のくさび形端部を有している。他の実施形態では、固定具は正方形であってもよく、滑りカーペットアセンブリは、適用プロセス中に大きな圧力がかかり、ブロック形状は、支持表面との接触面を増加させ、圧力を減少させ、支持機能を発揮し、安定性を有し、圧力支持力の増加、荷重支持力の増加、そして、物体の可動性を有する。
【００２７】
固定具２１０の１つの機能は、第１の方向および第２の方向における連結ロープの位置を規定することによって、ロールシャフト３１０の位置を規定することである。これにより、滑りカーペットアセンブリは、安定して面の形状で配置され、平面、斜面または曲面に配置することができる。固定具２１０の上面の円弧形状は、表面の接触面積を減少させるためのものである。接触面積を小さくすることで、表面の摩擦が少なくなり、滑りがスムーズになる。固定具２１０の構造を当業者にとってより利用しやすくするために、図５に固定具２１０の上面図を示し、図６に正面図を示す。
【００２８】
図７は、図１に示す滑りカーペットアセンブリを構成するロールシャフト３１０の断面図である。ロールシャフト３１０の中心には、一定の直径の円筒穴が形成されている。一定の直径の円筒穴の両端は、内径が徐々に大きくなるテーパー穴に連通している。テーパー穴の断面図を見ると、テーパー部分が角度Ａをなしており、繰り返しの実験により角度Ａは１５°が望ましい。この角度よりも大きい場合には、ロールシャフト３１０と固定具２１０との隙間が大きくなりすぎるため、異物が侵入しやすくなり、ロールシャフト３１０の回転に影響を与えうる。この角度よりも小さい場合には、滑りカーペットアセンブリが外力により変形したときに、ロールシャフト３１０と固定具２１０とがきつくなり、故障が発生し回転に影響を与えうる。
【００２９】
ロールシャフト３１０の外表面には、当該外表面を取り巻いて環状溝３１１が形成されている。２つの環状溝３１１は、ロールシャフト３１０の外表面を３つの領域に分割する。環状溝３１１は、第１の方向の摩擦力を増大させ、滑り方向として第２の方向を規定する。これにより、人体または物体は、第１の方向に垂直な方向である第２の方向に滑ることとなる。図８は、ロールシャフト３１０の三次元図を示しており、環状溝３１１の構造をより明確に示している。
【００３０】
図１１は、本実施形態における滑りカーペットの一例の概略を示す構成図である。図１２は、滑りカーペットの側面図である。本考案では、図示するような滑りカーペットにて構成される。上記滑りカーペットアセンブリは、弾性サスペンションアセンブリによってブラケット上に吊り下げられるか、用途の必要に応じて吊り下げられる。弾性サスペンションアセンブリは、第１のサスペンションアセンブリおよび第２のサスペンションアセンブリを含む。第１のサスペンションアセンブリは、第２のサスペンションアセンブリに対して垂直に配置される。
【００３１】
第１のサスペンションアセンブリは、引張りバネ５１０、第１の連結プレート５２３、第１のクランプスリーブ５２０、および押しバネ５２１を含む。引張りバネ５１０は、当該引張りバネ５１０の両端に配置された第１の引張りフック５１１および第２の引張りフック５１２を含む。第１の連結プレート５２３は、第１穴と第２穴とを含み、第１の引張りフック５１１が、第１の連結プレート５２３の第１穴に引っ掛けられ、連結ロープが、第２穴を通過して閉鎖式循環が形成される。第１のクランプスリーブ５２０は、第１の連結プレートと押しバネとの間に配置される。第１のクランプスリーブ５２０には、第１の方向に沿って延びる連結ロープの一端側が挿通連結される。
【００３２】
第２のサスペンションアセンブリは、第２の連結プレート５３２および第２のクランプスリーブ５３１を含む。第２のクランプスリーブ５３１の一端は、第２の連結プレート５３２に接触して連結され、第２のクランプスリーブ５３１の他端は、固定具２１０の第２の貫通孔２１４の外側に接触されて連結される。第２のクランプスリーブ５３１には、第１の方向に垂直な方向に沿って延びる連結ロープの一端が挿通連結される。
【００３３】
滑りカーペットが外力により変形されると、変形が生じ、押しバネ５２１が外力により伸縮して緩衝機能として作用し、ロールシャフト３１０はきつく締められた状態となる。第１のクランプスリーブ５２０は、連結ロープと第１の連結プレート５２３との間の緊密な連結を実現する。第２のクランプスリーブ５３１は、連結ロープと第２の連結プレート５３２との間の緊密な連結を実現する。第２の引張りフックは、必要に応じて特定の物体またはブラケットに引っかけることができるため、応用環境が向上する。滑りカーペットのサイズや形状は必要に応じて変更できるため、滑りカーペットの実用性が高まる。同時に、滑りカーペットは電気と水を消費する必要がないため、エネルギーを節約できる。人々は、滑りカーペットに長時間注意を払う必要がないので、人の労力を節約できる。ロールシャフトや他の部品に問題が発生した場合でも、一部の部品のみを交換すればよいため、ライフサイクルや寿命を延ばすことができる。図１２に示すように、滑りカーペットのロールシャフト３１０と固定具２１０と第１のサスペンションアセンブリとの位置関係は、より明確である。
【００３４】
他の実施形態における本考案では、本願の滑りカーペットアセンブリを用いる滑りカーペットを提供する。滑りカーペットは、滑り体の上面に直接敷かれ、滑り体の上面は平面または曲面である。例えば、Ｕ字型の滑り面は、スキー、スケートボードなどの一般的な滑り面である。本願の滑りカーペットは、Ｕ字形の滑り面の上面に置かれる。人物がＵ字型の滑り面の下部からＵ字型の滑り面の上部に滑るときに、滑りカーペットの表面に転がり摩擦が形成される。すると、摩擦は減少し、滑りやすくなる。滑りカーペットの滑り方向が均一で、滑り面からのずれがない場合には、全体の動作がスムーズで安全である。
【００３５】
滑りカーペットは、スポーツトレーニング、エンターテインメント、又は重い物体の運搬などにおいて、走路、床、滑り台、スロープなどの物体の表面に直接敷かれる。滑りカーペットは、滑り摩擦ではなく、その表面において物体または人物との間に転がり摩擦を発生させ、動きをスムーズにする。商品を運ぶ場合には、抵抗が低減され、時間と労力が節約される。滑り摩擦は発熱量が多いが、滑りカーペットの転がり摩擦は発熱量が少ないため、過度の摩擦や高温が生じず、人体や荷物の損傷を防止できる。滑りカーペットは、設置が簡単で管理が簡易であり、水や電気を消費せず、省エネと環境保護を実現できる。また、地形に合わせて敷設でき、実用性が高い。
【００３６】
上記は、本願考案の好ましい特定の実施形態にすぎず、本願の保護の範囲は上記に限定されない。また、当業者であれば、本願に開示された技術的範囲内の変更または置換を容易に考えることができ、かかる技術は、本願の保護の範囲に含まれる。従って、本願考案の保護の範囲は、実用新案登録の範囲によって決定されうる。
【図１】
0003230240.tif 000003
【図２】
0003230240.tif 000004
【図３】
0003230240.tif 000005
【図４】
0003230240.tif 000006
【図５】
0003230240.tif 000007
【図６】
0003230240.tif 000008
【図７】
0003230240.tif 000009
【図８】
0003230240.tif 000010
【図９】
0003230240.tif 000011
【図１０】
0003230240.tif 000012
【図１１】
0003230240.tif 000013
【図１２】
0003230240.tif 000014